(57)【要約】【課題】チップ部品の微小化に対応してキャリアテープ及びリールの幅が狭くなってもキャリアテープを容易に取り出すことができるエンドテープを提供する。【解決手段】チップ部品３を保持するとともにリールに巻回されたキャリアテープ１の先端部に接続されてキャリアテープ１の先端部をリールに固定するエンドテープ２であって、一端側部分に粘着部５を、他端側部分に非粘着部６を有し、粘着部５の幅をリールの内寸幅よりも狭くするとともに、非粘着部６の幅を、粘着部５に隣接する箇所６ａから徐々に広くして終端部６ｃの幅をリールの内寸幅以上とした。【選択図】図１
2010111481.tif 000002
【特許請求の範囲】
【請求項１】
チップ部品を保持するとともにリールに巻回されたキャリアテープの先端部に接続されてキャリアテープの先端部をリールに固定するエンドテープであって、
一端側部分に粘着部を、他端側部分に非粘着部を有し、
粘着部の幅をリールの内寸幅よりも狭くするとともに、非粘着部の幅を、粘着部に隣接する箇所から徐々に広くして終端部の幅をリールの内寸幅以上とした
ことを特徴とするキャリアテープ固定用のエンドテープ。
【発明の詳細な説明】
【技術分野】
【０００１】
本発明は、チップ部品を保持したキャリアテープをリールに巻回して固定するキャリアテープ固定用のエンドテープに関するものである。
【背景技術】
【０００２】
近年、電子機器の小型化、高性能化が急速に進み、それに伴い電子機器に用いられる電子部品の小型化も急速に進んでいる。特に、チップ抵抗器やチップコンデンサ等の汎用部品においては、長さが０．４ｍｍで、幅が０．２ｍｍの、所謂「０４０２」サイズの部品の需要が増大している。このようなチップ部品は、通常エンボステープや紙テープ等のキャリアテープに収納保持され、そのキャリアテープをリールに巻回するとともに、その先端部をエンドテープで貼り付けて固定した状態で出荷されている。
【０００３】
従来は、「０４０２」サイズの部品のキャリアテープを巻回するのに用いるリールは、「０６０３」（長さが０．６ｍｍ、幅が０．３ｍｍ）サイズや「１００５」（長さが１．０ｍｍ、幅が０．５ｍｍ）サイズの部品のキャリアテープを巻回するのに用いるリールと共用しており、そのリールの内寸幅は８ｍｍと比較的広いものであった。そのため、キャリアテープをリールに巻回し、その先端部をエンドテープで貼り付けて固定した場合においても、エンドテープを引き出してキャリアテープを実装機にセットすることは比較的容易であった。
【０００４】
また、リールに巻回したキャリアテープの先端部を固定するエンドテープとして、図３（ａ）、（ｂ）に示すように、キャリアテープ１１の先端部１２に接着された粘着部１３と、この粘着部１３の端部１４に貼られた非粘着部１５とによって構成されたエンドテープ１６が提案されている（例えば、特許文献１参照）。
【特許文献１】特開平９−１４２５６７号公報
【発明の開示】
【発明が解決しようとする課題】
【０００５】
ところで、昨今は、省資源並びに省スペースの観点から、チップ部品の小型化に対応してキャリアテープの幅を狭くし、かつリールの幅も狭くする要望が高まっている。この要望に答えてキャリアテープ及びリール内寸幅を狭くした場合、キャリアテープをリールに巻回してその先端部をエンドテープにて固定すると、キャリアテープを実装機にセットする際にエンドテープを引き出すのが困難になり、手間がかかって作業性を低下させるという問題がある。
【０００６】
また、特許文献１に記載された技術を参考にして、図３（ａ）、（ｂ）に示したように、非粘着部１５を長く設定したエンドテープ１６を適用することも考えられるが、その場合でも、エンドテープ１６は粘着部１３から非粘着部１５まで、その幅が一定であるため、図４に示すように、エンドテープ１６の非粘着部１５がリール１７内に入り込んだ状態となる。そのため、エンドテープ１６を引き出してキャリアテープ１１を取り出すことが困難であり、上記問題を解消することは不可能である。
【０００７】
本発明は、上記従来の問題点に鑑み、チップ部品の微小化に対応してキャリアテープ及びリールの幅が狭くなってもキャリアテープを容易に取り出すことができるキャリアテープ固定用のエンドテープを提供することを目的とする。
【課題を解決するための手段】
【０００８】
本発明のキャリアテープ固定用のエンドテープは、チップ部品を保持するとともにリールに巻回されたキャリアテープの先端部に接続されてキャリアテープの先端部をリールに固定するエンドテープであって、一端側部分に粘着部を、他端側部分に非粘着部を有し、粘着部の幅をリールの内寸幅よりも狭くするとともに、非粘着部の幅を、粘着部に隣接する箇所から徐々に広くして終端部の幅をリールの内寸幅以上としたものである。
【０００９】
この構成によると、粘着部の幅をリールの内寸幅よりも狭くするとともに、非粘着部の幅を、粘着部に隣接する箇所から徐々に広くして終端部の幅をリールの内寸幅以上としているため、エンドテープの一端側部分の粘着部でキャリアテープの先端部が貼り付け固定され、この固定された部分からエンドテープの幅が徐々に広くなるとともに幅が徐々に広くなる部分は非粘着部であるためリール内に入り込んだままにならずに徐々にリールの外に出るようになり、さらにエンドテープの終端部の幅をリール内寸幅以上としているため、エンドテープの終端部はリールの外側に確実に出るようになる。かくして、キャリアテープの幅及びリールの内寸幅が狭くなった場合においても、エンドテープを容易に取り出すことができる。
【発明の効果】
【００１０】
本発明のキャリアテープ固定用のエンドテープによれば、粘着部の幅をリールの内寸幅よりも狭くするとともに、非粘着部の幅を、粘着部に隣接する箇所から徐々に広くして終端部の幅をリールの内寸幅以上としているため、エンドテープの一端側部分の粘着部でキャリアテープの端部を貼り付け固定でき、かつエンドテープの他端側部分の非粘着部の幅が徐々に広くなるため、リール内に入り込んだままにならずに徐々にリールの外に出るようになり、さらに終端部の幅がリール内寸幅以上となっているため、エンドテープの終端部はリールの外側に確実に出るようになり、これにより、キャリアテープの幅及びリールの内寸幅が狭くなった場合においても、エンドテープを容易に取り出すことができるという優れた効果を奏する。
【発明を実施するための最良の形態】
【００１１】
以下、本発明のキャリアテープ固定用のエンドテープの一実施形態について、図１、図２を参照して説明する。
【００１２】
図１において、１はキャリアテープで、その先端部に接着剤若しくは粘着テープ（図示せず）にてエンドテープ２の一端部が接続されている。キャリアテープ１には、その長手方向に所定ピッチ間隔で多数の部品３が収納保持されるとともに、その一側部に上記所定ピッチ間隔で送り穴４が配設されている。エンドテープ２は一端側部分が粘着部５とされ、他端側部分が非粘着部６とされている。粘着部５は、その幅Ｗ１がキャリアテープ１の幅よりも狭く形成されかつ送り穴４が配置された側とは反対側の側縁に沿わせて接続されている。非粘着部６の幅は、粘着部５に隣接する箇所６ａは粘着部５の幅Ｗ１に等しく、この箇所６ａから非粘着部６の長さ方向の略中間箇所６ｂに至る間で徐々に広くなり、略中間箇所６ｂから終端部６ｃに至る間は一定の幅Ｗ２とされている。
【００１３】
キャリアテープ１は、図２に示すリール７に巻回されており、その先端部に接続されたエンドテープ２の粘着部５がその巻回されたキャリアテープ１の外周に貼り付くことでキャリアテープ１がリール７に固定されている。ここで、エンドテープ２の粘着部５の幅Ｗ１がリール７の内寸幅よりも狭く設定されていることで、その全面が巻回されたキャリアテープ１の外周に貼り付いてキャリアテープ１がリール７に確実に固定される。一方、エンドテープ２の非粘着部６は、その幅が粘着部５に隣接する箇所６ａから徐々に広くなっているので、この非粘着部６はリール７内に入り込んだままにならずに徐々にリール７の外に出るようになり、さらに非粘着部６の終端部６ｃの幅がリール７の内寸幅以上であるため、エンドテープ２の非粘着部６の終端部６ｃはリール７の外側に確実に出るとともに
、リール７のフランジ部７ａとの摩擦で固定される。かくして、キャリアテープ１を巻回するリール７の内寸幅が狭くなった場合でも、エンドテープ２を引き出してキャリアテープ１を容易に取り出すことができる。
【００１４】
以上の本実施形態の構成により、チップ部品３の微小化に対応してキャリアテープ１を巻回するリール７の内寸幅が狭くなった場合でも、エンドテープ２を引き出してキャリアテープ１を容易に取り出して実装機にセットすることができる。
【００１５】
次に、具体的な設計寸法の一例を説明する。キャリアテープ１の幅が４ｍｍで、リール７の内寸幅が５ｍｍの場合において、図１に示すように、エンドテープ２の全長（Ｌ１＋Ｌ２＋Ｌ３）を１００ｍｍ、エンドテープ２の粘着部５の長さＬ１を７４ｍｍ、エンドテープ２の非粘着部６の長さＬ２を２６ｍｍとし、粘着部５の幅Ｗ１を３ｍｍ、非粘着部６の終端部６ｃの幅Ｗ２を５ｍｍとし、さらに非粘着部６においてその幅が変化して徐々に広くなる部分の長さＬ２を１１ｍｍとしている。
【００１６】
このように寸法設計することで、キャリアテープ１を巻回するリール７の内寸幅が狭くなった場合においても、非粘着部６の終端部６ｃがリール７の外側に確実に出るようになるため、エンドテープ２を引き出してキャリアテープ１を容易に取り出すことができる効果が発揮される。
【００１７】
なお、上記具体例では、エンドテープ２の非粘着部６の終端部６ｃの幅Ｗ２をリール７の内寸幅と等しくした（両者共５ｍｍ）例を示したが、エンドテープ２の非粘着部６の終端部６ｃの幅Ｗ２がリール７の内寸幅以上であれば、エンドテープ２をキャリアテープ１の幅方向の一側端に寄せるように接続しているので、エンドテープ２の非粘着部６の終端部６ｃはリール７の外側に確実に出るようになり、これによりエンドテープ２を引き出してキャリアテープ１を容易に取り出すことができる。
【００１８】
また、以上の実施形態においては、エンドテープ２をその端部で折り曲げたり、別の非粘着テープを接着したりする必要がないため、実装機のオートリールチェンジャー等による自動貼り付けにも容易に対応することができる。
【産業上の利用可能性】
【００１９】
本発明のキャリアテープ固定用のエンドテープは、キャリアテープに対する接続部分とは反対側の他端側部分に設けた非粘着部の終端部の幅をリールの内寸幅以上としているため、エンドテープの終端部がリールの外側に確実に出るようになり、これにより、キャリアテープを巻回するリールの内寸幅が狭くなった場合においても、エンドテープを引き出してキャリアテープを容易に取り出すことができ、そのため特に微小サイズのチップ部品を収納保持したキャリアテープ固定用のエンドテープに好適に利用することができる。
【図面の簡単な説明】
【００２０】
【図１】本発明の一実施形態のキャリアテープ固定用のエンドテープの平面図。
【図２】同実施形態のエンドテープにてリールに巻回したキャリアテープを固定した状態を示す斜視図。
【図３】従来例のキャリアテープ固定用のエンドテープを示し、（ａ）は正面図、（ｂ）は平面図。
【図４】同従来例のエンドテープにてリールに巻回したキャリアテープを固定した状態を示す斜視図。
【符号の説明】
【００２１】
１  キャリアテープ
２  エンドテープ
３  チップ部品
５  粘着部
６  非粘着部
６ａ  粘着部５に隣接する箇所
６ｃ  非粘着部６の終端部
７  リール
【図１】
2010111481.tif 000003
【図２】
2010111481.tif 000004
【図３】
2010111481.tif 000005
【図４】
2010111481.tif 000006